(57)【要約】  レンズは、透明な第一基板と、第一基板の厚さ方向において第一基板と対向して設けられた透明な第二基板と、第一基板と第二基板との間に設けられ、電気的制御により光学特性が変化する第一光学特性変化部と、第一基板と第二基板との間に設けられ、厚さ方向において第一光学特性変化部とずれて設けられ、電気的制御により光学特性が変化する第二光学特性変化部と、を備える。
2020067329.tif 000002
【特許請求の範囲】
【請求項１】
透明な第一基板と、
前記第一基板の厚さ方向において前記第一基板と対向して設けられた透明な第二基板と、
前記第一基板と前記第二基板との間に設けられ、電気的制御により光学特性が変化する第一光学特性変化部と、
前記第一基板と前記第二基板との間に設けられ、前記厚さ方向において前記第一光学特性変化部とずれて設けられ、電気的制御により光学特性が変化する第二光学特性変化部と、を備える、
レンズ。
【請求項２】
前記第二光学特性変化部は、前記第一光学特性変化部と、前記厚さ方向において対向している、請求項１に記載のレンズ。
【請求項３】
前記第一光学特性変化部と前記第二光学特性変化部とは、正面視において、異なる形状を有する、請求項２に記載のレンズ。
【請求項４】
前記第一光学特性変化部は、電圧を印加された状態において第一度数を有し、
前記第二光学特性変化部は、電圧を印加された状態において、前記第一度数よりも絶対値が大きい第二度数を有し、
前記第一光学特性変化部の正面視における面積は、前記第二光学特性変化部の正面視における面積よりも大きい、請求項１〜３の何れか一項に記載のレンズ。
【請求項５】
前記第一光学特性変化部と、前記第二光学特性変化部とは、正面視において、同じ形状を有する、請求項２に記載のレンズ。
【請求項６】
前記第一光学特性変化部と前記第二光学特性変化部との間に設けられた第三基板を、さらに備え、
前記第一光学特性変化部は、入射光を回折させる第一回折構造と、前記第一回折構造と前記厚さ方向において対向する第一液晶層と、を有し、
前記第二光学特性変化部は、入射光を回折させる第二回折構造と、前記第二回折構造と前記厚さ方向において対向する第二液晶層と、を有し、
前記第一回折構造は、前記第一基板及び前記第三基板の何れか一方の基板の側面に設けられ、
前記第二回折構造は、前記第二基板及び前記第三基板の何れか一方の基板の側面に設けられている、請求項１〜５の何れか一項に記載のレンズ。
【請求項７】
前記第一回折構造は、前記第一基板と対向する前記第三基板に設けられており、
前記第二回折構造は、前記第二基板と対向する前記第三基板に設けられている、請求項６に記載のレンズ。
【請求項８】
前記第一光学特性変化部は、前記第一液晶層に電圧を印加する第一電極及び第二電極を有し、
前記第二光学特性変化部は、前記第二液晶層に電圧を印加する第三電極及び第四電極を有し、
前記第一電極及び前記第二電極の少なくとも一方の電極が、前記第三電極及び前記第四電極の少なくとも一方の電極と、前記厚さ方向において対向している、請求項６または７に記載のレンズ。
【請求項９】
前記第一電極及び前記第二電極の何れか一方の電極と、前記第三電極及び前記第四電極の何れか一方の電極とが、厚さ方向において対向している、請求項８に記載のレンズ。
【請求項１０】
前記第一電極と前記第三電極とが前記厚さ方向において対向し、
前記第二電極と前記第四電極とが前記厚さ方向において対向している、請求項８に記載のレンズ。
【請求項１１】
前記第一電極及び前記第二電極の何れか一方の電極と、前記第三電極及び前記第四電極の何れか一方の電極とが、一つの電極により構成されている、請求項８に記載のレンズ。
【請求項１２】
ブランク部と、
前記ブランク部と一体として形成されている、請求項１〜１１のいずれか一項に記載のレンズと、
を有する、レンズブランク。
【請求項１３】
請求項１〜１１のいずれか一項に記載のレンズと、
前記レンズを保持しているフレームと、
前記第一光学特性変化部及び前記第二光学特性変化部への電圧の印加を制御する制御部と、
を有する、アイウェア。
【請求項１４】
前記制御部は、前記第一光学特性変化部への電圧の印加と、前記第二光学特性変化部への電圧の印加とを、独立して制御する、請求項１３に記載のアイウェア。
【発明の詳細な説明】
【技術分野】
【０００１】
本発明は、レンズ、レンズブランク、及び、アイウェアに関する。
【背景技術】
【０００２】
近年、使用者が身に付けることができる電子機器の開発が行われている。当該電子機器の例には、電圧によって度数を切替え可能な領域を有するアイウェア（例えば、電子メガネ）が含まれる（特許文献１参照）。【０００３】
上述のアイウェアのレンズは、一方の面に透明な第一電極が配置された透明な第一基板と、一方の面に透明な第二電極が配置された透明な第二基板と、第一電極と第二電極との間に配置された液晶層と、を有する。具体的には、第一基板の少なくとも一部には、同心円状の複数の凸条が形成された回折領域が設けられている。液晶層は、第一基板の厚さ方向において回折領域と対向する位置に配置されている。【０００４】
液晶層は、電圧の印加の有無に応じて、その屈折率が変化するように構成されている。液晶層への電圧の印加の有無に対応して液晶層の屈折率が変わると、レンズにおける液晶層に対応する部分（以下、「光学特性変化部」と称する）の度数が変わる。このような従来構造の場合、レンズは、液晶層に電圧が印加されていない状態の度数と、液晶層に電圧が印加された状態の度数との２種類の度数を実現できる。
【先行技術文献】
【特許文献】
【０００５】
【特許文献１】特表２０１０−５３２４９６号公報
【発明の概要】
【発明が解決しようとする課題】
【０００６】
上述のようなレンズにおいて、実現可能な度数の種類を増やせる技術が望まれている。【０００７】
本発明は、上述のような状況に鑑みなされたものであり、実現可能な度数の種類を増やすことができる技術を提供することを課題とする。
【課題を解決するための手段】
【０００８】
本発明の一態様に係るレンズは、透明な第一基板と、第一基板の厚さ方向において第一基板と対向して設けられた透明な第二基板と、第一基板と第二基板との間に設けられ、電気的制御により光学特性が変化する第一光学特性変化部と、第一基板と第二基板との間に設けられ、厚さ方向において第一光学特性変化部とずれて設けられ、電気的制御により光学特性が変化する第二光学特性変化部と、を備える。【０００９】
本発明の一態様に係るレンズブランク、ブランク部と、ブランク部と一体として形成されている上述のレンズと、を備える。【００１０】
本発明の一態様に係るアイウェアは、上述のレンズと、レンズを保持しているフレームと、第一光学特性変化部及び第二光学特性変化部への電圧の印加を制御する制御部と、を備える。
【発明の効果】
【００１１】
本発明によれば、実現可能な度数の種類を増やすことができる。
【図面の簡単な説明】
【００１２】
【図１】図１は、電子メガネの斜視図である。
【図２】図２は、電子メガネの内部回路のブロック図である。
【図３】図３は、実施形態１に係るレンズの構成の一例を示す断面図である。
【図４】図４は、レンズの層構造の一例を示す模式図である。
【図５Ａ】図５Ａは、電極の配置を説明するためのレンズの正面模式図である。
【図５Ｂ】図５Ｂは、第一電極の模式図である。
【図５Ｃ】図５Ｃは、第二電極の模式図である。
【図５Ｄ】図５Ｄは、第三電極の模式図である。
【図５Ｅ】図５Ｅは、第四電極の模式図である。
【図６Ａ】図６Ａは、実施形態１の変形例１に係るレンズの正面模式図である。
【図６Ｂ】図６Ｂは、実施形態１の変形例２に係るレンズの正面模式図である。
【図６Ｃ】図６Ｃは、実施形態１の変形例３に係るレンズの正面模式図である。
【図６Ｄ】図６Ｄは、実施形態１の変形例４に係るレンズの正面模式図である。
【図７】図７は、実施形態２に係るレンズの層構造の一例を示す模式図である。
【図８Ａ】図８Ａは、実施形態３に係るレンズの正面模式図である。
【図８Ｂ】図８Ｂは、第一電極の模式図である。
【図８Ｃ】図８Ｃは、第二電極の模式図である。
【図８Ｄ】図８Ｄは、第三電極の模式図である。
【図８Ｅ】図８Ｅは、第四電極の模式図である。
【図９Ａ】図９Ａは、実施形態４に係るレンズの正面模式図である。
【図９Ｂ】図９Ｂは、第一電極の模式図である。
【図９Ｃ】図９Ｃは、第二電極の模式図である。
【図９Ｄ】図９Ｄは、第三電極の模式図である。
【図９Ｅ】図９Ｅは、第四電極の模式図である。
【図１０Ａ】図１０Ａは、実施形態４の変形例１に係るレンズの正面模式図である。
【図１０Ｂ】図１０Ｂは、実施形態４の変形例２に係るレンズの正面模式図である。
【図１０Ｃ】図１０Ｃは、実施形態４の変形例３に係るレンズの正面模式図である。
【図１０Ｄ】図１０Ｄは、実施形態４の変形例４に係るレンズの正面模式図である。
【図１１】図１１は、実施形態５に係るレンズの正面模式図である。
【図１２】図１２は、参考例１に係るレンズの層構造の一例を示す模式図である。
【図１３】図１３は、レンズの正面模式図である。
【図１４Ａ】図１４Ａは、第一電極及び第三電極の模式図である。
【図１４Ｂ】図１４Ｂは、第二電極及び第四電極の模式図である。
【図１５Ａ】図１５Ａは、参考例１の変形例１を示すレンズの正面模式図である。
【図１５Ｂ】図１５Ｂは、参考例１の変形例２を示すレンズの正面模式図である。
【図１５Ｃ】図１５Ｃは、参考例１の変形例３を示すレンズの正面模式図である。
【図１５Ｄ】図１５Ｄは、参考例１の変形例４を示すレンズの正面模式図である。
【図１５Ｅ】図１５Ｅは、参考例１の変形例５を示すレンズの正面模式図である。
【図１５Ｆ】図１５Ｆは、参考例１の変形例６を示すレンズの正面模式図である。
【図１５Ｇ】図１５Ｇは、参考例１の変形例７を示すレンズの正面模式図である。
【図１５Ｈ】図１５Ｈは、参考例１の変形例８を示すレンズの正面模式図である。
【発明を実施するための形態】
【００１３】
本発明のいくつかの実施形態について、図面を用いて詳細に説明する。本明細書の全体を通じて同一要素には、特に断らない限り、同一符号を付す。添付の図面と共に以下に記載される事項は、例示的な実施形態を説明するためのものであり、唯一の実施形態を示すためのものではない。
【００１４】
［実施形態１］
以下、本発明の実施形態１に係るレンズの構成について説明する。本実施形態に係るレンズは、例えば、図１に示す電子メガネＧなどのアイウェアに組み込まれる。
【００１５】
図１は、電子メガネＧの斜視図である。図２は、電子メガネＧの内部回路のブロック図である。
【００１６】
＜電子メガネ＞
電子メガネＧは、フレーム１、一対のレンズ２、検出部１６、制御部１７、及び、電源１８などを有する。フレーム１は、フロント１１、及び、一対のテンプル１４ａ、１４ｂを有する。なお、以下の説明では、フロント１１が配置される部分を電子メガネＧの正面（前方）として説明する。図１では、右側用のテンプル１４ａについては分解図として示している。
【００１７】
また、以下の電子メガネＧ、及び、電子メガネＧの構成部材の説明において、特に断ることなく、「前後方向」、「幅方向」、及び、「上下方向」といった場合には、使用者がメガネとして装着できる展開状態（図１に示す状態）における電子メガネＧの各方向をいう。具体的には、電子メガネＧの前後方向とは、装着時における使用者の前後方向である。電子メガネＧを、電子メガネＧよりも前方から見た図は、電子メガネＧ及び電子メガネＧの構成部材の正面図に該当する。
【００１８】
また、電子メガネＧの幅方向とは、装着時における使用者の左右方向である。さらに、電子メガネＧの上下方向とは、装着時における使用者の天地方向である。また、以下のレンズ２、及び、レンズ２の構成部材の説明において、「厚さ方向」は、電子メガネＧの前後方向に一致する。
【００１９】
電子メガネＧのユーザ（装着者）は、フレーム１に設けられた検出部１６を操作（たとえば、タッチ操作）することにより、後述のレンズ２の第一領域３における第一特性変化部４０及び第二特性変化部５０のうちの少なくとも一つの変化部（以下、「対象変化部」と称する）の光学特性（度数、屈折率、色を変化させることによる光の透過率）を切り替える。ここで、度数は、屈折率を変化させることによって変化する。第一特性変化部４０は、第一光学特性変化部の一例に該当し、第二特性変化部５０は、第二光学特性変化部の一例に該当すると捉えてよい。又、第一特性変化部４０は、第二光学特性変化部の一例に該当し、第二特性変化部５０は、第一光学特性変化部の一例に該当すると捉えてもよい。
【００２０】
ユーザにより検出部１６が操作されると、制御部１７は、当該操作に基づいて、対象変化部に電圧を印可した状態（以下、「印加状態」という。）と、電圧を印可しない状態（以下、「非印加状態」という。）とを切り替える。
【００２１】
＜レンズ＞
図３は、レンズ２の構成の一例を示す断面模式図である。図３は、図１のＡ−Ａ断面図である。また、図４は、レンズの構成の層構造の一例を示す模式図である。図３において、図４に示されるレンズ２の一部のエレメントは、符号のみが示されている。
【００２２】
レンズ２は、レンズブランク２Ｚ（セミフィニッシュドレンズとも称する。図５Ａ参照）に後加工を施すことにより造られる。レンズブランク２Ｚは、レンズ２と、レンズ２と一体に設けられたブランク部２５（図５Ａの二点鎖線参照）と、を有する。
【００２３】
ブランク部２５は、レンズ２を取り囲むように、レンズ２の外側に設けられている。ブランク部２５の構成は、例えば、後述するレンズ２の第二領域６の構成と同じである。レンズブランク２Ｚに後加工を施すことにより、レンズブランク２Ｚを所期の形状及び大きさに加工して、所期の外形及び大きさを有するレンズ２が得られる。後加工は、レンズブランク２Ｚの外周に切削加工や研磨加工を施して、レンズ２の外形に加工する外形加工を含んでよい。また、後加工は、レンズブランク２Ｚの裏面に切削加工や研磨加工を施して、レンズ２の厚さ寸法に加工する裏面加工を含んでよい。
【００２４】
一対のレンズ２は、電子メガネＧを正面視したときに、左右対称となるように形成されており、互いに同一の構成要素を有する。そこで、以下の説明では、電子メガネＧの右眼用のレンズ２について説明し、左眼用のレンズ２の構成要素については、その説明を省略する。また、以下のレンズ２についての説明は、レンズブランク２Ｚの説明に適宜援用してよい。
【００２５】
レンズ２は、電圧によりその度数を切替え可能な第一領域（電気活性領域）３と、第一領域３以外の領域に配置される第二領域６と、を有する。
【００２６】
第一領域３の形状、大きさ、及び、位置は、レンズ２の大きさやレンズ２の用途などに応じて適宜設計されてよい。レンズ２は、例えば、遠近両用レンズ、中近両用レンズ、及び、近々両用レンズのうち少なくとも一つのレンズであってよい。また、第一領域３は、図１に示すように、レンズ２を正面視したときに、レンズ２の中央部より下側に配置されてよい。
【００２７】
＜第一領域＞
図３及び図４に示すように、第一領域３は、後側（図３における下側）から順に、第一基板３１、第一特性変化部４０、中間基板３２、第二特性変化部５０、及び、第二基板３３などを有する。第一領域３の各エレメントは、可視光に対して透光性を有する。
【００２８】
第一領域３は、第一特性変化部４０及び第二特性変化部５０に電圧が印加されていない非印加状態において、第二領域６の度数とほぼ同じ度数を有する。
【００２９】
一方、第一領域３は、第一特性変化部４０及び第二特性変化部５０のうちの少なくとも一方の特性変化部に電圧が印加されている印加状態において、第二領域６の度数と異なる度数を有する。以下、第一特性変化部４０のみ電圧が印加されている状態を、第一印加状態と称する。また、第二特性変化部５０のみ電圧が印加されている状態を、第二印加状態と称する。また、第一特性変化部４０及び第二特性変化部５０に電圧が印加されている状態を、第三印加状態と称する。
【００３０】
第一領域３は、非印加状態、第一印加状態、第二印加状態、及び、第三印加状態に、それぞれ対応する度数を有する。
【００３１】
＜第一基板＞
第一基板３１は、レンズ２において、最も後方側（使用者側）に配置されている。第一基板３１は、一対の主面（表面及び裏面）を有する透明な光学素子である。第一基板３１は、第一基板３１の厚さ方向（以下、単に「厚さ方向」と称する）における一方（前方）に向かって凸状に湾曲する円板状であってよい。なお、第一基板３１の厚さ方向は、レンズ２の各エレメントにおける厚さ方向に一致する。
【００３２】
第一基板３１の表面及び裏面は、厚さ方向における一方（前方）に向かって凸状に湾曲する凸曲面であってよい。第一基板３１は、表面において、第一領域３に対応する領域に第一回折構造３１ｃを有する。
【００３３】
第一回折構造３１ｃは、図３に示すように、表面における中央部に、球冠状の突部３１１を有する。突部３１１は、正面視において、円形である。突部３１１の中心位置は、正面視における第一回折構造３１ｃ（第一領域３）の中心位置と一致している。
【００３４】
第一回折構造３１ｃは、突部３１１の外側に、複数の円環状の突条３１２を有する。また、第一回折構造３１ｃは、隣り合う突条３１２同士の間に、複数の円環状の溝部を有する。第一回折構造３１ｃは、同心円状かつ交互に形成された複数の突条３１２と複数の溝部とで構成されている。複数の突条３１２の稜線は、突部３１１の中心（第一回折構造３１ｃの中心でもある）を中心とした同心円状に設けられている。複数の突条３１２の稜線は、突部３１１から離れるほど直径が大きくなる。
【００３５】
一方、複数の突条３１２は、突部３１１から離れるほど、隣り合う突条３１２の稜線同士の距離（ピッチとも称される）が小さくなる。なお、突条３１２は、周方向において全周に連続した円環状であってもよいし、部分円環状であってもよい。また、正面視において、突部３１１の中心位置と、第一回折構造３１ｃの中心位置とは、異なっていてもよい。隣り合う突条３１２の稜線同士のピッチが小さいほど、電圧を印加された状態の第一特性変化部４０の度数が大きくなる。
【００３６】
このような第一基板３１は、無機ガラスまたは有機ガラスから造られる。第一基板３１は、有機ガラスから造られるのが好ましい。有機ガラスは、熱硬化性ポリウレタン類、ポリチオウレタン類、ポリエポキシド類、もしくはポリエピスルフィド類からなる熱硬化性材料、もしくはポリ（メタ）アクリレート類からなる熱可塑性材料、または、これらの共重合体もしくは混合物からなる熱硬化性（架橋した）材料の何れかである。また、有機ガラスは、たとえば、ポリカーボネート類または熱可塑性ポリウレタン類を含む熱可塑性材料であってもよい。あるいは、有機ガラスは、ジエチレングリコールビスアリルカーボネート重合体または共重合体であってもよい。
【００３７】
なお、第一基板３１は、裏面に、コーティング層（不図示）を有してもよい。第一基板３１の裏面に設けられたコーティング層は、第一基板３１の一部と捉えてよい。また、第一回折構造３１ｃは、後述の中間基板３２の裏面に設けられてもよい。
【００３８】
＜第一特性変化部＞
第一特性変化部４０は、後側から順に、既述の第一回折構造３１ｃ、第一電極４１、絶縁膜４２、第一液晶モジュール４３、絶縁膜４７、及び、第二電極４８などを有する。
【００３９】
第一特性変化部４０は、第一液晶層４５に電圧が印加された状態で、所定の度数（以下、「第一度数」と称する）を有する。第一度数は、ユーザの目の状態に合わせて設定されてよい。
【００４０】
＜第一電極＞
第一電極４１は、第一基板３１の表面に設けられている。第一電極４１と第一基板３１との間には、他の部材が設けられてもよい。第一電極４１は、厚さ方向において、第一基板３１と第一液晶層４５との間に設けられていると捉えてもよい。
【００４１】
第一電極４１は、少なくとも第一液晶層４５に電圧を印加できる範囲（第一領域３）に設けられていてよい。つまり、第一電極４１は、第一液晶層４５に電圧を印加できれば、第二領域６に設けられていなくてもよい。
【００４２】
第一電極４１は、透光性を有する透明電極である。第一電極４１の材料は、例えば、酸化インジウムスズ（ＩＴＯ）または酸化亜鉛（ＺｎＯ）である。
【００４３】
本実施形態の場合、第一電極４１は、第一基板３１の表面の全面に設けられた透明導電膜４１１の一部により構成されている。具体的には、第一電極４１は、図５Ｂに示すように、透明導電膜４１１に形成されたスリット４１ａにより囲まれた部分である。
【００４４】
第一電極４１は、電圧印加部４１ｄと、接続部４１ｅと、からなる。電圧印加部４１ｄは、厚さ方向において、第一液晶層４５と対向している。接続部４１ｅの第一端部は、レンズ２の外周面の第一部分２１において、外部に露出している。第一部分２１は、レンズ２の外周面における上側半部に存在している。接続部４１ｅの第二端部は、電圧印加部４１ｄに接続されている。
【００４５】
接続部４１ｅは、第一端部に、他の部分よりも厚い厚肉部４１ｆを有する。このような厚肉部４１ｆは、フロント１１に設けられた導電部材（不図示）との接触面積を大きくできる。このような第一電極４１は、上記導電部材や配線１９を介して、電源１８に接続されている。
【００４６】
＜絶縁膜＞
絶縁膜４２は、少なくとも第一電極４１の表面に設けられている。絶縁膜４２は、第一電極４１と第一液晶モジュール４３との間に設けられていると捉えてもよい。本実施形態の場合、絶縁膜４２は、透明導電膜４１１の表面の全面に設けられている。
【００４７】
絶縁膜４７は、第二電極４８の裏面に設けられている。絶縁膜４７は、第二電極４８と第一液晶モジュール４３との間に設けられていると捉えてもよい。本実施形態の場合、絶縁膜４７は、後述の透明導電膜４８１の表面の全面に設けられている。
【００４８】
絶縁膜４２及び絶縁膜４７の材料は、透光性を有する絶縁層として使用されうる公知の材料であってよい。絶縁層の材料は、例えば、二酸化ケイ素である。
【００４９】
＜第一液晶モジュール＞
第一液晶モジュール４３は、後側から順に、配向膜４４、第一液晶層４５、及び、配向膜４６などを有する。
【００５０】
＜配向膜＞
配向膜４４は、第一液晶層４５の裏面に設けられている。配向膜４４は、第一液晶層４５の裏面の全面に設けられている。このような配向膜４４は、第一液晶層４５における液晶材料の配向状態を制御する。
【００５１】
配向膜４６は、第一液晶層４５の表面に設けられている。配向膜４６は、第一液晶層４５の表面の全面に設けられている。このような配向膜４６は、第一液晶層４５における液晶材料の配向状態を制御する。配向膜４４及び配向膜４６の材料は、液晶材料の配向膜として使用されうる公知の材料であってよい。配向膜４６の材料は、例えば、ポリイミドである。
【００５２】
＜第一液晶層＞
第一液晶層４５は、配向膜４４と配向膜４６との間に設けられている。第一液晶層４５は、第一電極４１と第二電極４８との間に設けられていると捉えてもよい。このような第一液晶層４５は、液晶材料を含有する。液晶材料は、電圧の印加の有無に応じて配向状態が変わる。第一液晶層４５の配向状態が変わると、第一液晶層４５の光学特性（例えば、屈折率または透過率）が変化する。液晶材料は、例えば、コレステリック液晶、ネマチック液晶、又はゲストホスト液晶であってよい。
【００５３】
＜第二電極＞
第二電極４８は、中間基板３２の裏面に設けられている。第二電極４８と中間基板３２との間には、他の部材が設けられてもよい。第二電極４８は、厚さ方向において、中間基板３２と第一液晶層４５との間に設けられていると捉えてもよい。
【００５４】
第二電極４８は、少なくとも第一液晶層４５に電圧を印加できる範囲（第一領域３）に設けられていてよい。つまり、第二電極４８は、第一液晶層４５に電圧を印加できれば、第二領域６に設けられていなくてもよい。
【００５５】
第二電極４８は、透光性を有する透明電極である。第二電極４８の材料は、例えば、酸化インジウムスズ（ＩＴＯ）または酸化亜鉛（ＺｎＯ）である。
【００５６】
本実施形態の場合、第二電極４８は、中間基板３２の裏面の全面に設けられた透明導電膜４８１の一部により構成されている。具体的には、第二電極４８は、図５Ｃに示すように、透明導電膜４８１に形成されたスリット４８ａにより囲まれた部分である。
【００５７】
第二電極４８は、電圧印加部４８ｄと、接続部４８ｅと、からなる。電圧印加部４８ｄは、厚さ方向において、第一液晶層４５と対向している。電圧印加部４８ｄは、厚さ方向において、第一電極４１の電圧印加部４１ｄと対向している。
【００５８】
接続部４８ｅの第一端部は、レンズ２の外周面の第二部分２２において、外部に露出している。レンズ２の第二部分２２は、厚さ方向において、レンズ２の第一部分２１と対向していない。第二部分２２は、レンズ２の外周面における上側半部に存在している。
【００５９】
接続部４８ｅの第二端部は、電圧印加部４８ｄに接続されている。接続部４８ｅは、厚さ方向において、第一電極４１の接続部４１ｅと対向していない。
【００６０】
接続部４８ｅは、第一端部に、他の部分よりも厚い厚肉部４８ｆを有する。このような厚肉部４８ｆは、フロント１１に設けられた導電部材（不図示）との接触面積を大きくできる。以上のような第二電極４８は、上記導電部材や電源ケーブルを介して、電源１８に接続されている。
【００６１】
＜中間基板＞
中間基板３２は、レンズ２において、第一特性変化部４０と第二特性変化部５０との間に設けられている。中間基板３２は、一対の主面（表面及び裏面）を有する透明な板状部材からなる光学素子である。中間基板３２は、厚さ方向における一方（前方）に向かって凸状に湾曲する円板状であってよい。中間基板３２は、第三基板の一例に該当する。このような中間基板３２の材料は、第一基板３１の材料と同様である。
【００６２】
なお、中間基板は、例えば、フォトクロミック性（調光性）を有する基板、カラーレンズ等の染色された基板、偏光性を有する基板、ブルーライトカット機能を有する基板、及び、ネオコントラストレンズ等の機能性基板のうち何れかの基板であってもよい。
【００６３】
＜第二特性変化部＞
第二特性変化部５０は、後側から順に、第三電極５１、絶縁膜５３、第二液晶モジュール５２、絶縁膜５７、第四電極５８、及び、第二回折構造３３ｃなどを有する。このような第二特性変化部５０は、第一特性変化部４０と、厚さ方向において対向している。また、第二特性変化部５０は、第一特性変化部４０と、厚さ方向においてずれて設けられている（換言すれば、異なる層に設けられている）。特に、本実施形態の場合、第二特性変化部５０と、第一特性変化部４０とは、正面視において同じ形状である。ただし、第二特性変化部５０と、第一特性変化部４０とは、正面視において異なる形状であってもよい。また、図示は省略するが、第二特性変化部５０と、第一特性変化部４０とは、厚さ方向において対向していなくてもよい。
【００６４】
第二特性変化部５０は、第二液晶層５５に電圧が印加された状態で、所定の度数（以下、「第二度数」と称する）を有する。第二度数は、ユーザの目の状態に合わせて設定されてよい。
【００６５】
第二度数は、第一度数と同じであってもよいし、異なってもよい。また、第二度数は、第一度数よりも大きくてもよいし、小さくてもよい。
【００６６】
第一度数の絶対値が第二度数の絶対値よりも大きい場合、第一特性変化部４０の正面視における面積は、第二特性変化部５０の正面視における面積よりも小さくてよい。又、第一度数の絶対値が第二度数の絶対値よりも小さい場合、第一特性変化部４０の正面視における面積は、第二特性変化部５０の正面視における面積よりも大きくてよい。
【００６７】
＜第三電極＞
第三電極５１は、中間基板３２の表面に設けられている。第三電極５１と中間基板３２との間には、他の部材が設けられてもよい。第三電極５１は、厚さ方向において、中間基板３２と第二液晶層５５との間に設けられていると捉えてもよい。
【００６８】
第三電極５１は、少なくとも第二液晶層５５に電圧を印加できる範囲（第一領域３）に設けられていればよい。つまり、第三電極５１は、第二液晶層５５に電圧を印加できれば、第二領域６に設けられていなくてもよい。
【００６９】
第三電極５１は、透光性を有する透明電極である。第三電極５１の材料は、例えば、酸化インジウムスズ（ＩＴＯ）または酸化亜鉛（ＺｎＯ）である。
【００７０】
本実施形態の場合、第三電極５１は、中間基板３２の表面の全面に設けられた透明導電膜５１１の一部により構成されている。具体的には、第三電極５１は、図５Ｄに示すように、透明導電膜５１１に形成されたスリット５１ａにより囲まれた部分である。
【００７１】
第三電極５１は、電圧印加部５１ｄと、接続部５１ｅと、からなる。電圧印加部５１ｄは、厚さ方向において、第二液晶層５５と対向している。電圧印加部５１ｄは、厚さ方向において、第四電極５８の電圧印加部５８ｄと対向している。
【００７２】
接続部５１ｅの第一端部は、レンズ２の外周面の第三部分２３において、外部に露出している。第三部分２３は、厚さ方向において、第一部分２１及び第二部分２２と対向していない。第三部分２３は、レンズ２の外周面における上側半部に存在している。接続部５１ｅの第二端部は、電圧印加部５１ｄに接続されている。
【００７３】
接続部５１ｅは、第一端部に、他の部分よりも厚い厚肉部５１ｆを有する。このような厚肉部５１ｆは、フロント１１に設けられた導電部材（不図示）との接触面積を大きくできる。以上のような第三電極５１は、上記導電部材や電源ケーブルを介して、電源１８に接続されている。
【００７４】
＜絶縁膜＞
絶縁膜５３は、第三電極５１の表面に設けられている。絶縁膜５３は、第三電極５１と第二液晶モジュール５２との間に設けられていると捉えてもよい。絶縁膜５３は、透明導電膜５１１の表面の全面に設けられている。このような絶縁膜５３の材料は、既述の絶縁膜４２の材料と同様である。
【００７５】
絶縁膜５７は、第四電極５８の裏面に設けられている。絶縁膜５７は、後述の透明導電膜５８１の裏面の全面に設けられている。このような絶縁膜５７の材料は、既述の絶縁膜４２の材料と同様である。
【００７６】
＜第二液晶モジュール＞
第二液晶モジュール５２は、後側から順に、配向膜５４、第二液晶層５５、及び、配向膜５６などを有する。
【００７７】
＜配向膜＞
配向膜５４は、第二液晶層５５の裏面に設けられている。配向膜５４は、第二液晶層５５の裏面の全面に設けられている。このような配向膜５４は、第二液晶層５５における液晶材料の配向状態を制御する。配向膜５４の材料は、既述の配向膜４４の材料と同様である。
【００７８】
配向膜５６は、第二液晶層５５の表面に設けられている。配向膜５６は、第二液晶層５５の表面の全面に設けられている。このような配向膜５６は、第二液晶層５５における液晶材料の配向状態を制御する。配向膜５６の材料は、既述の配向膜４４の材料と同様である。
【００７９】
＜第二液晶層＞
第二液晶層５５は、配向膜５４と配向膜５６との間に設けられている。第二液晶層５５は、第三電極５１と第四電極５８との間に設けられていると捉えてもよい。このような第二液晶層５５は、液晶材料を含有する。液晶材料は、電圧の印加の有無に応じて配向状態が変わる。第二液晶層５５の配向状態が変わると、第二液晶層５５の光学特性（屈折率）が変化する。液晶材料は、例えば、コレステリック液晶又はネマチック液晶であってよい。
【００８０】
＜第四電極＞
第四電極５８は、第二基板３３の裏面に設けられている。第四電極５８と第二基板３３との間には、他の部材が設けられてもよい。第四電極５８は、厚さ方向において、第二基板３３と第二液晶層５５との間に設けられていると捉えてもよい。
【００８１】
第四電極５８は、少なくとも第二液晶層５５に電圧を印加できる範囲（第一領域３）に設けられていてよい。つまり、第四電極５８は、第二液晶層５５に電圧を印加できれば、第二領域６に設けられていなくてもよい。
【００８２】
第四電極５８は、透光性を有する透明電極である。第四電極５８の材料は、例えば、酸化インジウムスズ（ＩＴＯ）または酸化亜鉛（ＺｎＯ）である。
【００８３】
本実施形態の場合、第四電極５８は、第二基板３３の裏面の全面に設けられた透明導電膜５８１の一部により構成されている。具体的には、第四電極５８は、図５Ｅに示すように、透明導電膜５８１に形成されたスリット５８ａにより囲まれた部分である。
【００８４】
第四電極５８は、電圧印加部５８ｄと、接続部５８ｅと、からなる。電圧印加部５８ｄは、厚さ方向において、第一電極４１の電圧印加部４１ｄ、及び、第二電極４８の電圧印加部４８ｄと対向している。
【００８５】
接続部５１ｅの第一端部は、レンズ２の外周面の第四部分２４において、外部に露出している。レンズ２の外周面の第四部分２４は、厚さ方向において、第一部分２１、第二部分２２、及び、第三部分２３とは対向しない。第四部分２４は、レンズ２の外周面における上側半部に存在している。接続部５１ｅの第二端部は、電圧印加部５１ｄに接続されている。
【００８６】
接続部５８ｅは、第一端部に、他の部分よりも厚い厚肉部５８ｆを有する。このような厚肉部５８ｆは、フロント１１に設けられた導電部材（不図示）との接触面積を大きくできる。以上のような第四電極５８は、上記導電部材や電源ケーブルを介して、電源１８に接続されている。
【００８７】
＜第二基板＞
第二基板３３は、レンズ２において、最も前方側（使用者から遠い側）に配置されている。第二基板３３は、一対の主面（表面及び裏面）を有する透明な光学素子である。第二基板３３は、厚さ方向における一方（前方）に向かって凸状に湾曲する円板状であってよい。
【００８８】
第二基板３３の表面及び裏面は、厚さ方向における一方（前方）に向かって凸状に湾曲する凸曲面であってよい。第二基板３３は、裏面において、第一領域３に対応する部分に第二回折構造３３ｃを有する。
【００８９】
第二回折構造３３ｃは、図３に示すように、裏面における中央部に、球冠状の突部３３１を有する。突部３３１は、正面視において、円形である。突部３３１の中心位置は、正面視における第二回折構造３３ｃ（第一領域３）の中心位置と一致している。従って、正面視において、第二回折構造３３ｃの中心位置は、第一回折構造３１ｃの中心位置と一致している。換言すれば、正面視において、第二回折構造３３ｃの中心、及び、第一回折構造３１ｃの中心は、厚さ方向に平行な同軸上に位置している。
【００９０】
第二回折構造３３ｃは、突部３３１の外側に、複数の円環状の突条３３２を有する。また、第二回折構造３３ｃは、隣り合う突条３３２同士の間に、複数の円環状の溝部を有する。第二回折構造３３ｃの構成は、第一回折構造３１ｃとほぼ同様である。
【００９１】
なお、第二基板３３は、表面に、コーティング層（不図示）を有してもよい。第二基板３３の表面に設けられたコーティング層は、第二基板３３の一部と捉えてよい。また、第二回折構造３３ｃは、後述の中間基板３２の表面に設けられてもよい。
【００９２】
＜第二領域＞
第二領域６は、後方側から順に、第一基板３１、第一特性固定部６０、中間基板３２、第二特性固定部７０、及び、第二基板３３などを有する。第一基板３１、中間基板３２、及び、第二基板３３は、第一領域３と共有のエレメントである。第二領域６の各エレメントは、可視光に対して透光性を有する。第二領域６は、レンズ２において、第一領域３以外の部分により構成されていると捉えることもできる。第二領域６は、所定の度数を有してよい。第二領域６の度数は、常時一定である。
【００９３】
＜第一特性固定部＞
第一特性固定部６０は、後側から順に、透明導電膜４１１、絶縁膜４２、接着層６１、絶縁膜４７、及び、透明導電膜４８１などを有する。透明導電膜４１１、絶縁膜４２、絶縁膜４７、及び、透明導電膜４８１は、第一領域３と共有のエレメントである。
【００９４】
＜第二特性固定部＞
第二特性固定部７０は、後側から順に、透明導電膜５１１、絶縁膜５３、接着層６２、絶縁膜５７、及び、透明導電膜５８１などを有する。透明導電膜５１１、絶縁膜５３、絶縁膜５７、及び、透明導電膜５８１は、第一領域３と共有のエレメントである。
【００９５】
＜接着層＞
接着層６１は、透明であって、第二領域６において、絶縁膜４２と絶縁膜４７との間に設けられている。接着層６１は、第二領域６において、第一基板３１と中間基板３２との間に設けられていると捉えてよい。
【００９６】
接着層６１は、絶縁膜４２と絶縁膜４７とを接着している。接着層６１は、第一基板３１と第二基板３３とを接着していると捉えてもよい。このような接着層６１は、第一液晶層４５を構成する液晶材料を封止する機能も有する。
【００９７】
接着層６２は、透明であって、第二領域６において、絶縁膜５３と絶縁膜５７との間に設けられている。接着層６２は、第二領域６において、中間基板３２と第二基板３３との間に設けられていると捉えてよい。
【００９８】
接着層６２は、絶縁膜５３と絶縁膜５７とを接着している。接着層６２は、中間基板３２と第二基板３３とを接着していると捉えてもよい。このような接着層６２は、第二液晶層５５を構成する液晶材料を封止する機能も有する。
【００９９】
以上のような接着層６１及び接着層６２は、例えば、光学用感圧接着剤、熱硬化型接着剤、又は、紫外線硬化型接着剤である。熱硬化型接着剤の例として、ポリアクリラートを含む接着剤が挙げられる。具体的には、日東電工株式会社製  ＬＵＣＩＡＣＳ（登録商標）  ＣＳ９８６シリーズが挙げられる。なお、接着剤の材料は、所期の透光性を有し、かつ、第一基板３１及び第二基板３３を適切に接着できれば特に限定されない。
【０１００】
＜フロント＞
図１に示すように、フロント１１は、一対のレンズ２を支持する一対のリム１２と、一対のリム１２を幅方向に互いに接続するブリッジ１３ａと、を有する。リム１２の形状は、レンズ２の形状に対応する形状である。ブリッジ１３ａは、使用者の鼻に接触しうる一対の鼻パッド１３ｂを有する。
【０１０１】
図１に示すように、フロント１１の内部（例えば、内周面に形成された凹溝）には、レンズ２の第一電極４１、第二電極４８、第三電極５１、及び、第四電極５８と、後述の制御部１７とを、それぞれ電気的に接続するための配線１９が設けられている。
【０１０２】
なお、第一電極４１、第二電極４８、第三電極５１、及び、第四電極５８と、配線１９の導通部（不図示）とは、導電ゴムなどの導電部材（不図示）により接続されてよい。
【０１０３】
フロント１１の材料は、特に限定されない。フロント１１の材料は、メガネのフロントの材料として使用される公知の材料であってよい。フロント１１の材料は、例えば、ポリアミド、アセテート、カーボン、セルロイド、ポリエーテルイミド、又は、ウレタンである。
【０１０４】
＜テンプル＞
一対のテンプル１４ａ、１４ｂは、電子メガネＧにおいてほぼ左右対称となるように形成されており、互いに同一の構成要素を有する。そこで、以下の説明では、右側（幅方向における一方側）用のテンプル１４ａについて説明する。
【０１０５】
テンプル１４ａは、その前端部においてフロント１１に接続されている。例えば、テンプル１４ａは、回転可能にフロント１１のリム１２に係合されてよい。図１に示すように、テンプル１４ａは、筐体１５及び検出部１６を有する。
【０１０６】
筐体１５は、テンプル１４ａの外形を構成する。筐体１５は、検出部１６及び制御部１７を収容している。筐体１５は、一方向に沿って延在する。
【０１０７】
筐体１５の材料は、特に限定されない。筐体１５の材料は、メガネのテンプルの材料として使用される公知の材料であってよい。筐体１５の材料は、例えば、フロント１１の材料と同じであってもよいし、異なっていてもよい。
【０１０８】
検出部１６は、例えば、静電容量方式の検出パッドを有する。検出パッドは、タッチセンサとして使用されうる公知の検出パッドであってよい。検出部１６は、ユーザの指が検出部１６に接触したときに、当該接触によって生じる静電容量の変化を検出してよい。
【０１０９】
＜タッチ操作の第一例＞
検出部１６は、例えば、ユーザの検出部１６に対するタッチ操作に対応する情報を検出する。タッチ操作の第一例について説明する。第一特性変化部４０及び第二特性変化部５０に電圧が印加されていない状態（オフ状態）における第一のタッチ操作は、第一特性変化部４０に電圧を印加することを示す。第一のタッチ操作の後、第一特性変化部４０のみに電圧が印加される。
【０１１０】
また、第一のタッチ操作から所定時間以内の第二のタッチ操作は、第二特性変化部５０に電圧を印加することを示す。第二のタッチ操作の後、第一特性変化部４０及び第二特性変化部５０に、電圧が印加される。
【０１１１】
また、第一特性変化部４０及び第二特性変化部５０に電圧が印加されている状態における第三のタッチ操作は、第一特性変化部４０及び第二特性変化部５０への電圧の印加を停止することを示す。
【０１１２】
＜タッチ操作の第二例＞
タッチ操作の第二例について説明する。第一特性変化部４０及び第二特性変化部５０に電圧が印加されていない状態（オフ状態）における第一のタッチ操作は、第一特性変化部４０のみに電圧を印加することを示す。第一のタッチ操作で電圧を印加される特性変化部は、電圧が印加された状態の度数が小さい特性変化部であると好ましい。
【０１１３】
また、第一のタッチ操作から所定時間以内の第二のタッチ操作は、第二特性変化部５０のみに電圧を印加するとことを示す。
【０１１４】
また、第二のタッチ操作から所定時間以内の第三のタッチ操作は、第一特性変化部４０及び第二特性変化部５０に電圧を印加するとことを示す。
【０１１５】
また、第一特性変化部４０及び第二特性変化部５０に電圧が印加されている状態における第四のタッチ操作は、第一特性変化部４０及び第二特性変化部５０への電圧の印加を停止することを示す。
【０１１６】
＜タッチ操作の第三例＞
タッチ操作の第三例について説明する。タッチ操作の第三例の場合、所定時間内に検出部１６により検出されたタッチ操作の回数に応じて、制御される特性変化部を切り替える。
【０１１７】
具体的には、例えば、所定時間内（例えば、１秒）に検出部１６により検出されたタッチ操作の回数が第一の回数（例えば、１回）の場合、第一特性変化部４０のオン状態とオフ状態とが切り替えられる。また、所定時間内（例えば、１秒）に検出部１６により検出されたタッチ操作の回数が第二の回数（例えば、２回）の場合、第二特性変化部５０のオン状態とオフ状態とが切り替えられる。第一の回数と第二の回数とは、異なる数である。第一の回数と第二の回数とは、適宜設定されてよい。
【０１１８】
＜検出部の変形例＞
ここで、検出部の変形例の一例について説明する。電子メガネＧは、複数の検出部を有してもよい。複数の検出部はそれぞれ、複数の特性変化部に対応していてよい。
【０１１９】
例えば、複数の検出部は、第一特性変化部４０を操作するためのタッチ操作を検出する第一検出部と、第二特性変化部５０を操作するためのタッチ操作を検出する第二検出部と、を有してよい。
【０１２０】
上述のような構成の場合、ユーザは、第一検出部をタッチ操作することにより、第一特性変化部４０のオン状態とオフ状態とを切り替える。また、ユーザは、第二検出部をタッチ操作することにより、第二特性変化部５０のオン状態とオフ状態とを切り替える。
【０１２１】
＜制御部＞
制御部１７は、配線１９を介して、検出部１６の検出パッド、第一電極４１、第二電極４８、第三電極５１、及び、第四電極５８に電気的に接続されている。
【０１２２】
制御部１７は、検出部１６が対象物の接触を検出したときに、一対のレンズ２に電圧を印加するか、又は一対のレンズ２に対する電圧の印加を停止して、第一領域３の度数を切替える（図２参照）。
【０１２３】
制御部１７は、例えば、検出部１６の検出情報に基づいて、レンズ２の第一特性変化部４０（具体的には、第一電極４１及び第二電極４８）、並びに、レンズ２の第二特性変化部５０（具体的には、第三電極５１及び第四電極５８）のうちの少なくとも一方の特性変化部への電圧の印加を制御する制御回路（不図示）を有する。
【０１２４】
具体的には、制御部１７は、検出部１６の検出情報が、第一特性変化部４０及び第二特性変化部５０への電圧の印加を停止することを示す情報である場合には、第一特性変化部４０及び第二特性変化部５０への電圧の印加を停止する。
【０１２５】
また、制御部１７は、検出部１６の検出情報が、第一特性変化部４０のみに電圧を印加することを示す情報である場合には、第一特性変化部４０のみに電圧を印加する。
【０１２６】
また、制御部１７は、検出部１６の検出情報が、第二特性変化部５０のみに電圧を印加することを示す情報である場合には、第二特性変化部５０のみに電圧を印加する。
【０１２７】
また、制御部１７は、検出部１６の検出情報が、第一特性変化部４０及び第二特性変化部５０に電圧を印加することを示す情報である場合には、第一特性変化部４０及び第二特性変化部５０に電圧を印加する。
【０１２８】
＜電源＞
電源１８は、検出部１６及び制御部１７に電力を供給する（図２参照）。本実施形態では、電源１８は、テンプル１４ａ、１４ｂの他端部（後端部）に着脱可能に保持される充電式のバッテリーパックである。電源１８は、例えば、ニッケル水素充電池であってよい。
【０１２９】
［電子メガネの動作］
つぎに、電子メガネＧの動作の一例について説明する。まず、電子メガネＧの第一特性変化部４０及び第二特性変化部５０に電圧が印加されていない状態（オフ状態）について説明する。
【０１３０】
オフ状態では、レンズ２の第一領域３において、第一液晶層４５及び第二液晶層５５の屈折率と、第一基板３１及び第二基板３３の屈折率とが、ほぼ同じとなる。このため、第一特性変化部４０及び第二特性変化部５０において、第一液晶層４５及び第二液晶層５５に起因するレンズ効果は生じない。
【０１３１】
検出部１６が、導電体である対象物（たとえば使用者の指）により接触されると、当該接触に基づく静電容量の変化が、検出部１６の検出パッドによって検出される。この接触に基づく検出情報は、制御部１７に送信される。制御部１７は、オフ状態において、取得した検出部１６の検出情報に基づいて、第一特性変化部４０及び第二特性変化部５０のうち少なくとも一方の特性変化部に電圧を印加する。
【０１３２】
これにより、第一特性変化部４０及び第二特性変化部５０のうち、電圧を印加された特性変化部の液晶層における液晶材料の配向が変化して、この液晶層の度数（屈折率）が変化する（オン状態）。
【０１３３】
オン状態では、電圧を印加された特性変化部における液晶層の屈折率と、第一基板３１及び第二基板３３の屈折率とが、互いに異なる。このため、第一領域３において電圧を印加された特性変化部の液晶層に起因するレンズ効果が生じる。この結果、第一領域３の度数が変化する。
【０１３４】
なお、オン状態における第一領域３は、３種類の度数を実現できる。第一の度数は、第一特性変化部４０のみに電圧が印加されている状態の度数である。第一の度数は、オフ状態における第一領域３の度数と、オン状態における第一特性変化部４０の度数との和である。
【０１３５】
第二の度数は、第二特性変化部５０のみに電圧を印加が印加されている状態の度数である。第二の度数は、オフ状態における第一領域３の度数と、オン状態における第二特性変化部５０の度数との和である。
【０１３６】
第三の度数は、第一特性変化部４０及び第二特性変化部５０に電圧を印加が印加されている状態の度数である。第三の度数は、オフ状態における第一領域３の度数と、オン状態における第一特性変化部４０の度数と、オン状態における第二特性変化部５０の度数との和である。第一の度数、第二の度数、及び、第三の度数は、レンズ２の用途に応じて適宜設定されてよい。
【０１３７】
オン状態において、検出部１６が、第一特性変化部４０及び第二特性変化部５０への電圧の印加を停止することを示す情報を検出すると、制御部１７は、第一特性変化部４０及び第二特性変化部５０への電圧の印加を停止する。これにより、第一液晶層４５及び第二液晶層５５における液晶材料の配向が、電圧印可前の状態に戻って、第一特性変化部４０及び第二特性変化部５０の屈折率がオフ状態の屈折率にとなる。
【０１３８】
以上のように、本実施形態に係る電子メガネＧでは、対象物の接触を検知して、レンズ２の第一領域３の度数を切替えることができる。
【０１３９】
＜実施形態１の変形例１＞
図６Ａを参照して、実施形態１の変形例１について説明する。第一電極４１、第二電極４８、第三電極５１、及び、第四電極５８が外部に露出する位置（第一部分２１、第二部分２２、第三部分２３、及び、第四部分２４）は、図６Ａに示す位置であってもよい。
【０１４０】
具体的には、本変形例の場合、第一部分２１は、レンズ２の外周面において、幅方向の一方側半部に存在している。幅方向の一方側半部は、フレーム１に保持された状態で、一対のテンプル１４ａ、１４ｂに近い側の半部であってよい。あるいは、幅方向の一方側半部は、フレーム１に保持された状態で、ブリッジ１３ａに近い側の半部であってよい。
【０１４１】
また、第二部分２２は、レンズ２の外周面において、幅方向の一方側半部に存在している。第三部分２３は、レンズ２の外周面において、幅方向の他方側半部に存在している。第四部分２４は、レンズ２の外周面における幅方向の他方側半部に存在している。
【０１４２】
第一部分２１、第二部分２２、第三部分２３、及び、第四部分２４は、互いに厚さ方向において対向していない。
【０１４３】
以上のような本変形例の場合、レンズ２の上側及び下側にリムが存在しないフレームに適用可能である。このような構成は、フレームのデザインのバリエーションを増やすことに寄与する。
【０１４４】
＜実施形態１の変形例２＞
図６Ｂを参照して、実施形態１の変形例２について説明する。本変形例の場合、第一部分２１及び第二部分２２は、レンズ２の外周面における上側半部に存在している。
【０１４５】
第三部分２３及び第四部分２４は、レンズ２の外周面において、幅方向の一方側半部に存在している。第一部分２１、第二部分２２、第三部分２３、及び、第四部分２４は、互いに厚さ方向において対向していない。
【０１４６】
以上のような本変形例の場合、レンズ２の下側にリムが存在しないフレームに適用可能である。このような構成は、フレームのデザインのバリエーションを増やすことに寄与する。
【０１４７】
＜実施形態１の変形例３＞
図６Ｃを参照して、実施形態１の変形例３について説明する。本変形例の場合、第一部分２１及び第二部分２２は、レンズ２の外周面における上側半部に存在している。
【０１４８】
第三部分２３及び第四部分２４は、レンズ２の外周面における下側半部に存在している。第一部分２１、第二部分２２、第三部分２３、及び、第四部分２４は、互いに厚さ方向において対向していない。
【０１４９】
以上のような本変形例の場合、各電極が露出する部分を、レンズ２の下側と上側とに分散させることができる。
【０１５０】
＜実施形態１の変形例４＞
図６Ｄを参照して、実施形態１の変形例４について説明する。本変形例の場合、第一部分２１及び第二部分２２は、レンズ２Ｄの外周面における上側半部に存在している。
【０１５１】
第三部分２３は、レンズ２の外周面において、幅方向の一方側半部に存在している。第四部分２４は、レンズ２の外周面において、幅方向の他方側半部に存在している。第一部分２１、第二部分２２、第三部分２３、及び、第四部分２４は、互いに厚さ方向において対向していない。
【０１５２】
以上のような本変形例の場合、レンズ２の下側にリムが存在しないフレームに適用可能である。このような構成は、フレームのデザインのバリエーションを増やすことに寄与する。また、各電極が露出する部分を、レンズ２の上側と幅方向の両端に分散させることができる。
【０１５３】
＜実施形態１の変形例５＞
図示は省略するが、図４に示すレンズ２から、中間基板３２を省略し、第二電極４８と第三電極５１とを一つの電極で構成してもよい。すなわち、第一特性変化部４０と第二特性変化部５０とは、一つの電極を共有してもよい。
【０１５４】
＜作用・効果＞
以上のような本実施形態に係るレンズ２及び電子メガネＧによれば、厚さ方向に対向する状態で、第一特性変化部４０及び第二特性変化部５０を設けているため、第一特性変化部４０及び第二特性変化部５０のオン状態の度数を個別に設定できる。この結果、オン状態における第一領域３の度数のパターンを増やすことができる。
【０１５５】
本実施形態に係るレンズ２が組み込まれた電子メガネＧのユーザは、検出部１６のタッチ操作によって、第一領域３の度数を段階的に選択ができる。
【０１５６】
［実施形態２］
図７を参照して、本発明の実施形態２に係るレンズ２Ａについて説明する。図７は、レンズ２Ａの層構造を示す模式図である。
【０１５７】
レンズ２Ａの場合、第一回折構造３１ｃ及び第二回折構造３３ｃの位置が、既述の実施形態１のレンズ２と異なる。
【０１５８】
具体的には、レンズ２Ａの場合、第一基板３１Ａは、第一回折構造３１ｃを有していない。また、第二基板３３Ａは、第二回折構造３３ｃを有していない。
【０１５９】
レンズ２Ａの場合、第一回折構造３１ｄは、中間基板３２Ａの裏面に設けられている。具体的には、第一回折構造３１ｄは、中間基板３２Ａの裏面において、第一領域３に対応する領域に設けられている。第一回折構造３１ｄの具体的な構成については、既述の実施形態1のレンズ２と同様である。
【０１６０】
レンズ２Ａの場合、第二回折構造３３ｄは、中間基板３２Ａの表面に設けられている。具体的には、第二回折構造３３ｄは、中間基板３２Ａの表面において、第一領域３に対応する領域に設けられている。第二回折構造３３ｄの具体的な構成については、既述の実施形態1のレンズ２と同様である。なお、本実施形態の構成は、既述の変形例１〜変形例４の構造に適用されてもよい。その他の構成及び作用・効果については、既述の実施形態1と同様である。
【０１６１】
［実施形態３］
図８Ａ〜図８Ｅを参照して、本発明の実施形態３に係るレンズ２Ｂについて説明する。図８Ａは、レンズ２Ｂの正面模式図である。
【０１６２】
レンズ２Ｂは、図３及び図４に示すレンズ２、又は、図７に示すレンズ２Ａと同様の層構造を有する。ただし、レンズ２Ｂは、第一電極４１Ｂ、第二電極４８Ｂ、第三電極５１Ｂ、及び、第四電極５８Ｂの構造が、図３及び図４に示すレンズ２、及び、図７に示すレンズ２Ａと異なる。
【０１６３】
本変形例の場合、第一電極４１Ｂと第三電極５１Ｂとが、同一構造を有する。具体的には、第一電極４１Ｂと、第三電極５１Ｂとは、厚さ方向において、対向している。第一電極４１Ｂと第三電極５１Ｂとは、レンズ２Ｂの外周面において、厚さ方向に対向する位置で外部に露出している。
【０１６４】
具体的には、第一電極４１Ｂは、レンズ２Ｂの外周面の第一部分２１において、外部に露出している。第一部分２１は、レンズ２Ｂの外周面における上側半部に存在している。
【０１６５】
第三電極５１Ｂは、レンズ２Ｂの外周面の第三部分２３において、外部に露出している。第三部分２３は、厚さ方向において、第一部分２１と対向している。
【０１６６】
また、第二電極４８Ｂと第四電極５８Ｂとが、同一構造を有する。具体的には、第二電極４８Ｂと、第四電極５８Ｂとは、厚さ方向において、対向している。第二電極４８Ｂと第四電極５８Ｂとは、レンズ２Ｂの外周面において、厚さ方向に対向する位置で外部に露出している。
【０１６７】
具体的には、第二電極４８Ｂは、レンズ２Ｂの外周面の第二部分２２において、外部に露出している。第二部分２２は、レンズ２Ｂの外周面における上側半部に存在している。第二部分２２は、厚さ方向において、第一部分２１と対向していない。
【０１６８】
また、第四電極５８Ｂは、レンズ２Ｂの外周面の第四部分２４において、外部に露出している。第四部分２４は、厚さ方向において、第二部分２２と対向している。
【０１６９】
以上のような構成を有する本実施形態の場合、第一電極４１Ｂと第三電極５１Ｂとが、レンズ２Ｂにおいて厚さ方向に対向している部分で、外部に露出している。このため、第一電極４１Ｂ及び第三電極５１Ｂは、電圧を同時に印加される。
【０１７０】
また、第二電極４８Ｂと第四電極５８Ｂとが、レンズ２Ｂにおいて厚さ方向に対向している部分で、外部に露出している。このため、第二電極４８Ｂ及び第四電極５８Ｂは、電圧を同時に印加される。このため、本実施形態は、第一特性変化部４０と第二特性変化部５０とを同時に制御する構成に適用できる。
【０１７１】
また、第一電極４１Ｂと第三電極５１Ｂとが、厚さ方向に対向し、かつ、第二電極４８Ｂと第四電極５８Ｂとが、厚さ方向に対向しているため、レンズ２Ｂの正面視において視認される電極の数を少なくできる。その他の構成及び作用・効果は既述の実施形態１及び実施形態２の場合と同様である。
【０１７２】
なお、本実施形態の変形例として、第一電極４１Ｂ、第二電極４８Ｂ、第三電極５１Ｂ、及び、第四電極５８Ｂが、厚さ方向において対向してもよい。この構成の場合、レンズ２Ｂの正面視において視認される電極の数を、さらに少なくできる。
【０１７３】
［実施形態４］
図９Ａ〜図９Ｄを参照して、実施形態４に係るレンズ２Ｃについて説明する。図９Ａは、レンズ２Ｃの正面模式図である。
【０１７４】
レンズ２Ｃは、図３及び図４に示すレンズ２、又は、図７に示すレンズ２Ａと同様の層構造を有する。ただし、レンズ２Ｃは、第一電極４１Ｃ、第二電極４８Ｃ、第三電極５１Ｃ、及び、第四電極５８Ｃの構造が、図３及び図４に示すレンズ２、及び、図７に示すレンズ２Ａと異なる。
【０１７５】
本実施形態の場合、第一電極４１Ｃと第三電極５１Ｃとが、同一構造を有する。具体的には、第一電極４１Ｃと、第三電極５１とは、厚さ方向において、対向している。第一電極４１Ｃと第三電極５１Ｃとは、レンズ２Ｃの外周面において、厚さ方向に対向する位置で外部に露出している。
【０１７６】
具体的には、第一電極４１Ｃは、レンズ２Ｃの外周面の第一部分２１において、外部に露出している。第一部分２１は、レンズ２Ｃの外周面における上側半部に存在している。
【０１７７】
第三電極５１Ｃは、レンズ２Ｃの外周面の第三部分２３において、外部に露出している。第三部分２３は、厚さ方向において、第一部分２１と対向している。
【０１７８】
第二電極４８Ｃと第四電極５８Ｃとは、互いに異なる構造を有する。第二電極４８Ｃは、レンズ２Ｃの外周面の第二部分２２において、外部に露出している。第二部分２２は、厚さ方向において、第一部分２１と対向していない。第二部分２２は、レンズ２Ｃの外周面における上側半部に存在している。
【０１７９】
第四電極５８Ｃは、レンズ２Ｃの外周面の第四部分２４において、外部に露出している。第四部分２４は、厚さ方向において、第一部分２１、第二部分２２、及び、第三部分２３と対向していない。第四部分２４は、レンズ２Ｃの外周面の上側半部に存在している。
【０１８０】
このような本実施形態の場合、第一電極４１Ｃと第三電極５１Ｃとが、厚さ方向に対向しているため、レンズ２Ｃの正面視において視認される電極の数を、既述の実施形態１よりも少なくできる。また、各電極が露出する部分を、レンズ２の上側に偏らせているため、レンズ２の下側及び幅方向の両端にリムが存在しないフレームに適用可能である。このような構成は、フレームのデザインのバリエーションを増やすことに寄与する。
【０１８１】
＜実施形態４の変形例１＞
図１０Ａを参照して、実施形態４の変形例１について説明する。本変形例の場合も、第一電極４１Ｃと第三電極５１Ｃとが、同一構造を有する。
【０１８２】
第一電極４１Ｃ、第二電極４８Ｃ、第三電極５１Ｃ、及び、第四電極５８Ｃが外部に露出する位置（第一部分２１、第二部分２２、第三部分２３、及び、第四部分２４）は、図１０Ａに示す位置であってもよい。
【０１８３】
具体的には、第一部分２１は、レンズ２Ｃの外周面において、幅方向の一方側半部に存在している。また、第二部分２２は、レンズ２Ｃの外周面において、幅方向の他方側半部に存在している。
【０１８４】
第三部分２３は、レンズ２Ｃの外周面において、幅方向の一方側半部に存在している。第三部分２３は、厚さ方向において、第一部分２１と対向している。
【０１８５】
第四部分２４は、レンズ２Ｃの外周面において、幅方向の他方側半部に存在している。第四部分２４は、厚さ方向において、第一部分２１、第二部分２２、及び、第三部分２３と対向していない。
【０１８６】
このような本変形例の場合、第一電極４１Ｃと第三電極５１Ｃとが、厚さ方向に対向しているため、レンズ２Ｃの正面視において視認される電極の数を、既述の実施形態１よりも少なくできる。また、各電極が露出する部分を、レンズ２の幅方向の両端に分散しているため、レンズ２の上側及び下側にリムが存在しないフレームに適用可能である。このような構成は、フレームのデザインのバリエーションを増やすことに寄与する。
【０１８７】
＜実施形態４の変形例２＞
図１０Ｂを参照して、実施形態４の変形例２について説明する。本変形例の場合、第一部分２１は、レンズ２Ｃの外周面における上側半部に存在している。
【０１８８】
また、第二部分２２は、レンズ２Ｃの外周面において、幅方向の一方側半部に存在している。第二部分２２は、厚さ方向において、第一部分２１と対向していない。
【０１８９】
また、第三部分２３は、レンズ２Ｃの外周面における上側半部に存在している。第三部分２３は、厚さ方向において、第一部分２１と対向している。
【０１９０】
また、第四部分２４は、レンズ２Ｃの外周面において、幅方向の一方側半部に存在している。第四部分２４は、厚さ方向において、第一部分２１、第二部分２２、及び、第三部分２３と対向していない。
【０１９１】
このような本変形例の場合、第一電極４１Ｃと第三電極５１Ｃとが、厚さ方向に対向しているため、レンズ２Ｃの正面視において視認される電極の数を、既述の実施形態１よりも少なくできる。また、各電極が露出する部分を、レンズ２の上側と幅方向の一方側半部に分散しているため、レンズ２の下側にリムが存在しないフレームに適用可能である。このような構成は、フレームのデザインのバリエーションを増やすことに寄与する。
【０１９２】
＜実施形態４の変形例３＞
図１０Ｃを参照して、実施形態４の変形例３について説明する。本変形例の場合、第一部分２１は、レンズ２Ｃの外周面における下側半部に存在している。
【０１９３】
また、第二部分２２は、レンズ２Ｃの外周面における上側半部に存在している。第二部分２２は、厚さ方向において、第一部分２１と対向していない。
【０１９４】
第三部分２３は、レンズ２Ｃの外周面における下側半部に存在している。第三部分２３は、厚さ方向において、第一部分２１と対向している。
【０１９５】
また、第四部分２４は、厚さ方向において、第一部分２１、第二部分２２、及び、第三部分２３と対向していない。第四部分２４は、レンズ２Ｃの外周面における上側半部に存在している。
【０１９６】
このような本変形例の場合、第一電極４１Ｃと第三電極５１Ｃとが、厚さ方向に対向しているため、レンズ２Ｃの正面視において視認される電極の数を、既述の実施形態１よりも少なくできる。
【０１９７】
＜実施形態４の変形例４＞
図１０Ｄを参照して、実施形態４の変形例４について説明する。本変形例の場合、第一部分２１は、レンズ２Ｃの外周面において、幅方向の一方側半部に存在している。
【０１９８】
第二部分２２は、レンズ２Ｃの外周面における上側半部に存在している。第二部分２２は、厚さ方向において、第一部分２１と対向していない。
【０１９９】
また、第三部分２３は、レンズ２Ｃの外周面において、幅方向の一方側半部に存在している。第三部分２３は、厚さ方向において、第一部分２１と対向している。
【０２００】
また、第四部分２４は、レンズ２Ｃの外周面における上側半部に存在している。第四部分２４は、厚さ方向において、第一部分２１、第二部分２２、及び、第三部分２３と対向していない。
【０２０１】
＜実施形態５＞
図１１を参照して、実施形態５に係るレンズ２Ｄについて説明する。レンズ２Ｄは、図３及び図４に示すレンズ２Ｃと同様の層構造を有する。
【０２０２】
ただし、レンズ２Ｄは、第二特性変化部５０Ｄの大きさが、図３及び図４に示すレンズ２と異なる。具体的には、第二特性変化部５０Ｄは、正面視において、第一特性変化部４０よりも大きい。その他の構成は、既述の実施形態１と同様である。
【０２０３】
以下、本実施形態のレンズ２Ｄにおける第一領域３Ｄの度数について説明する。第一領域３Ｄとは、正面視において、第二特性変化部５０Ｄと対向する領域である。
【０２０４】
以下、第一特性変化部４０に電圧が印加されている状態を、第一特性変化部４０のオン状態と称する。第一特性変化部４０に電圧が印加されていない状態を、第一特性変化部４０のオフ状態と称する。
【０２０５】
また、第二特性変化部５０Ｄに電圧が印加されている状態を、第二特性変化部５０Ｄのオン状態と称する。第二特性変化部５０Ｄに電圧が印加されていない状態を、第二特性変化部５０Ｄのオフ状態と称する。
【０２０６】
まず、第一特性変化部４０及び第二特性変化部５０Ｄのオフ状態における第一領域３Ｄの度数は、第二領域６Ｄと同じ度数である。
【０２０７】
また、第一特性変化部４０のみオン状態の場合、第一領域３Ｄにおいて第一特性変化部４０に対応する部分の度数は、オフ状態における第一領域３Ｄの度数と、オン状態における第一特性変化部４０の度数との和である。
【０２０８】
また、第二特性変化部５０Ｄのみオン状態の場合、第一領域３Ｄにおいて第二特性変化部５０Ｄに対応する部分の度数は、オフ状態における第一領域３Ｄの度数と、オン状態における第二特性変化部５０Ｄの度数との和である。
【０２０９】
また、第一特性変化部４０及び第二特性変化部５０Ｄがオン状態の場合、第一領域３Ｄは、２種類の度数（第三の度数）を有する。第一の度数は、第一領域３Ｄのうち第一特性変化部４０と対向せず、かつ、第二特性変化部５０Ｄと対向する部分における度数である。第一の度数は、オフ状態における第一領域３Ｄの度数と、オン状態における第二特性変化部５０Ｄの度数との和である。
【０２１０】
また、第二の度数は、第一領域３Ｄのうち第一特性変化部４０及び第二特性変化部５０Ｄと対向する部分における度数である。第二の度数は、オフ状態における第一領域３Ｄの度数と、オン状態における第一特性変化部４０の度数と、オン状態における第二特性変化部５０Ｄの度数との和である。
【０２１１】
このような本実施形態によれば、第一領域３Ｄが、視野角が異なる二つの特性変化部を有するため、視野角と度数の設定をより柔軟に行うことできる。その他の構成及び作用・効果は既述の実施形態１の場合と同様である。
【０２１２】
＜参考例１＞
図１２〜図１４Ｂを参照して、参考例１に係るレンズ２Ｔについて説明する。レンズ２Ｔは、図３及び図４に示すレンズ２と異なる層構造を有する。
【０２１３】
レンズ２Ｔは、電圧によりその度数を切替え可能な第一領域３Ｔと、電圧によりその度数を切替え可能な第二領域５Ｔと、第一領域３Ｔ及び第二領域５Ｔ以外の領域に配置される第三領域６Ｔと、を有する。レンズ２Ｔは、球面レンズであってもよいし、非球面レンズであってもよい。
【０２１４】
＜第一領域＞
第一領域３Ｔは、図１３に示すように、ユーザが電子メガネを装着した装着状態（以下、単に「装着状態」と称する）において、ユーザの目の下方に配置されている。このような第一領域３Ｔは、第一特性変化部４０Ｔに電圧が印加された状態において、近距離にある物を見やすくなるような度数を有してよい。
【０２１５】
図１２に示すように、第一領域３Ｔは、後側（図１２における下側）から順に、第一基板３１Ｔ、第一特性変化部４０Ｔ、及び、第二基板４７Ｔなどを有する。第一領域３Ｔの各エレメントは、可視光に対して透光性を有する。
【０２１６】
第一領域３Ｔは、第一特性変化部４０Ｔに電圧が印加されていない非印加状態において、第三領域６Ｔの度数とほぼ同じ度数を有する。
【０２１７】
一方、第一領域３Ｔは、第一特性変化部４０Ｔに電圧が印加されている印加状態において、第三領域６Ｔの度数と異なる度数を有する。
【０２１８】
＜第一基板＞
第一基板３１Ｔは、表面において、第一領域３Ｔに対応する部分に第一回折構造３１ｔを有する。第一基板３１Ｔは、表面において、第二領域５Ｔに対応する部分に第二回折構造３３ｔを有する。第一回折構造３１ｔ及び第二回折構造３３ｔは、既述の実施形態１の第一回折構造３１ｃとほぼ同様であるため、詳しい説明は省略する。
【０２１９】
本実施形態の場合、第一回折構造３１ｔの突条（図３における突条３１２を参照）のピッチ（以下、「第一ピッチ」と称する）は、第二回折構造３３ｔの突条（図３における突条３１２を参照）のピッチ（以下、「第二ピッチ」と称する）と異なる。なお、第一ピッチは、第二ピッチよりも小さくてもよいし、大きくてもよい。
【０２２０】
第一ピッチが第二ピッチよりも小さい場合、第一特性変化部４０Ｔの印加状態において、第一領域３Ｔの度数は、第二領域５Ｔの度数よりも大きくなる。一方、第一ピッチが第二ピッチよりも大きい場合、第一特性変化部４０Ｔの印加状態において、第一領域３Ｔの度数は、第二特性変化部５０Ｔの印加状態における第二領域５Ｔの度数よりも小さくなる。
【０２２１】
その他の第一基板３１Ｔの構成は、記述の実施形態１の第一基板３１とほぼ同様である。このため、第一基板３１Ｔの構成についての説明は、実施形態１の第一基板３１についての説明を、適宜読み替えてよい。
【０２２２】
＜第一特性変化部＞
第一特性変化部４０Ｔは、後側から順に、既述の第一回折構造３１ｔ、第一電極４１Ｔ、絶縁膜４３Ｔ、第一液晶モジュール４４Ｔ、絶縁膜４５Ｔ、及び、第二電極４６Ｔなどを有する。
【０２２３】
＜第一電極＞
第一電極４１Ｔは、図１４Ａに示すように、透明導電膜４１Ｔ１に形成されたスリット４１１Ｔにより囲まれた部分である。
【０２２４】
第一電極４１Ｔは、接続部４１ｔ１と、電圧印加部４１ｔ２と、を有する。電圧印加部４１ｔ２は、第一領域３Ｔに対応する部分である。このような第一電極４１Ｔは、既述の実施形態１の第一電極４１とほぼ同様である。
【０２２５】
接続部４１ｔ１の一端は、レンズ２Ｔの外周面の第一部分２１Ｔにおいて、外部に露出している。第一部分２１Ｔは、レンズ２Ｔの外周面において、幅方向の一方側半部に存在している。
【０２２６】
＜絶縁膜＞
絶縁膜４３Ｔ及び絶縁膜４５Ｔは、既述の実施形態１の場合と同様である。
【０２２７】
＜第一液晶モジュール＞
第一液晶モジュール４４Ｔは、後側から順に、配向膜４４Ｔ１、第一液晶層４４Ｔ２、及び、配向膜４４Ｔ３などを有する。このような第一液晶モジュール４４Ｔの構成は、既述の実施形態１の場合と同様である。
【０２２８】
＜第二電極＞
第二電極４６Ｔは、図１４Ｂに示すように、透明導電膜４６Ｔ１に形成されたスリット４６１Ｔにより囲まれた部分である。
【０２２９】
第二電極４６Ｔは、接続部４６ｔ１と、電圧印加部４６ｔ２と、を有する。電圧印加部４６ｔ２は、第一領域３Ｔに対応する部分である。
【０２３０】
接続部４６ｔ１の一端は、レンズ２Ｔの外周面の第二部分２２Ｔにおいて、外部に露出している。第二部分２２Ｔは、レンズ２Ｔの外周面において、幅方向の一方側半部に存在している。このような第二電極４６Ｔは、既述の実施形態１の第二電極４８とほぼ同様である。
【０２３１】
このような第一特性変化部４０Ｔの構成は、記述の実施形態１の第一特性変化部４０とほぼ同様である。このため、第一特性変化部４０Ｔの構成についての説明は、実施形態１の第一特性変化部４０についての説明を、適宜読み替えてよい。
【０２３２】
＜第二基板＞
第二基板４７Ｔは、レンズ２Ｔにおいて、最も前方側（使用者から遠い側）に配置されている。本実施形態の場合、第二基板４７Ｔは、記述の実施形態１の第二基板３３から第二回折構造３３ｃを省略した構成を有する。その他の第二基板４７Ｔの構成は、実施形態１の第二基板３３とほぼ同様である。このため、第二基板４７Ｔの構成についての説明は、実施形態１の第二基板３３についての説明を、適宜読み替えてよい。
【０２３３】
＜第二領域＞
第二領域５Ｔは、図１３に示すように、装着状態において、ユーザの目の上方に配置されている。このような第二領域５Ｔは、第二特性変化部５０Ｔに電圧が印加された状態において、遠距離にある物を見やすくなるような度数を有してよい。なお、第三領域６Ｔの度数は、中距離に有る物を見やすくなるような度数を有してよい。
【０２３４】
図１２に示すように、第二領域５Ｔは、後側（図１２における下側）から順に、第一基板３１Ｔ、第二特性変化部５０Ｔ、及び、第二基板４７Ｔなどを有する。第一基板３１Ｔ及び第二基板４７Ｔは、第二領域５Ｔと第一領域３Ｔとが共有するエレメントである。第二領域５Ｔの各エレメントは、可視光に対して透光性を有する。
【０２３５】
第二領域５Ｔは、第二特性変化部５０Ｔに電圧が印加されていない非印加状態において、第三領域６Ｔの度数とほぼ同じ度数を有する。
【０２３６】
一方、第二領域５Ｔは、第二特性変化部５０Ｔに電圧が印加されている印加状態において、第三領域６Ｔ及び第一領域３Ｔの度数と異なる度数を有する。
【０２３７】
＜第二特性変化部＞
第二特性変化部５０Ｔは、後側から順に、既述の第二回折構造３３ｔ、第三電極５１Ｔ、絶縁膜４３Ｔ、第二液晶モジュール５２Ｔ、絶縁膜４５Ｔ、及び、第四電極５３Ｔなどを有する。
【０２３８】
＜絶縁膜＞
絶縁膜４３Ｔ及び絶縁膜４５Ｔは、第一特性変化部４０Ｔと共有のエレメントである。
【０２３９】
＜第三電極＞
第三電極５１Ｔは、図１４Ａに示すように、透明導電膜４１Ｔ１に形成されたスリット４１２Ｔにより囲まれた部分である。
【０２４０】
第三電極５１Ｔは、接続部５１ｔ１と、電圧印加部５１ｔ２と、を有する。電圧印加部５１ｔ２は、第二領域５Ｔに対応する部分である。このような第三電極５１Ｔは、既述の実施形態１の第一電極４１とほぼ同様である。
【０２４１】
接続部５１ｔ１の一端は、レンズ２Ｔの外周面の第三部分２３Ｔにおいて、外部に露出している。第三部分２３Ｔは、レンズ２Ｔの外周面において、幅方向の一方側半部に存在している。
【０２４２】
＜第二液晶モジュール＞
第二液晶モジュール５２Ｔは、後側から順に、配向膜５２Ｔ１、第二液晶層５２Ｔ２、及び、配向膜５２Ｔ３などを有する。このような第二液晶モジュール５２Ｔの構成は、既述の実施形態１の場合と同様である。
【０２４３】
＜第四電極＞
第四電極５３Ｔは、図１４Ｂに示すように、透明導電膜４６Ｔ１に形成されたスリット４６２Ｔにより囲まれた部分である。
【０２４４】
第四電極５３Ｔは、接続部５３ｔ１と、電圧印加部５３ｔ２と、を有する。電圧印加部５３ｔ２は、第二領域５Ｔに対応する部分である。
【０２４５】
接続部５３ｔ１の一端は、レンズ２Ｔの外周面の第四部分２４Ｔにおいて、外部に露出している。第四部分２４Ｔは、レンズ２Ｔの外周面において、幅方向の一方側半部に存在している。なお、第一部分２１Ｔ、第二部分２２Ｔ、第三部分２３Ｔ、及び、第四部分２４Ｔは、互いに厚さ方向において対向していない。このような第四電極５３Ｔは、は、既述の実施形態１の第一電極４１とほぼ同様である。第二特性変化部５０Ｔのその他の構成は、既述の第一特性変化部４０Ｔとほぼ同様である。
【０２４６】
＜第三領域＞
第三領域６Ｔは、後方側から順に、第一基板３１Ｔ、特性固定部６１Ｔ、及び、第二基板４７Ｔなどを有する。第一基板３１、及び、第二基板３３は、第一領域３Ｔ及び第二領域５Ｔと共有するエレメントである。第三領域６Ｔは、所定の度数を有してよい。第三領域６Ｔの度数は、常時一定である。
【０２４７】
＜特性固定部＞
特性固定部６１Ｔは、後側から順に、透明導電膜４１Ｔ１、絶縁膜４３Ｔ、接着層６２Ｔ、絶縁膜４５Ｔ、及び、第二電極４６Ｔなどを有する。第一電極４１Ｔ、絶縁膜４３Ｔ、絶縁膜４５Ｔ、及び、透明導電膜４６Ｔ１は、第一領域３Ｔ及び第二領域５Ｔと共有するエレメントである。接着層６２Ｔの構成は、記述の実施形態１の接着層６１とほぼ同様である。このため、接着層６２Ｔの構成についての説明は、記述の実施形態１の接着層６１についての説明を、適宜読み替えればよい。
【０２４８】
＜制御部＞
本参考例の場合、制御部１７（図２参照）は、例えば、検出部１６（図２参照）の検出情報に基づいて、レンズ２Ｔの第一特性変化部４０Ｔ（具体的には、第一電極４１Ｔ及び第二電極４６Ｔ）、並びに、レンズ２Ｔの第二特性変化部５０Ｔ（具体的には、第三電極５１Ｔ及び第四電極５３Ｔ）のうちの少なくとも一方の特性変化部への電圧の印加を制御する制御回路（不図示）を有する。
【０２４９】
制御部１７は、検出部１６の検出情報が、第一特性変化部４０Ｔ及び第二特性変化部５０Ｔへの電圧の印加を停止することを示す情報である場合には、第一特性変化部４０Ｔ及び第二特性変化部５０Ｔへの電圧の印加を停止する。
【０２５０】
また、制御部１７は、検出部１６の検出情報が、第一特性変化部４０Ｔのみに電圧を印加することを示す情報である場合には、第一特性変化部４０のみに電圧を印加する。
【０２５１】
また、制御部１７は、検出部１６の検出情報が、第二特性変化部５０Ｔのみに電圧を印加することを示す情報である場合には、第二特性変化部５０のみに電圧を印加する。
【０２５２】
また、制御部１７は、検出部１６の検出情報が、第一特性変化部４０Ｔ及び第二特性変化部５０Ｔに電圧を印加することを示す情報である場合には、第一特性変化部４０Ｔ及び第二特性変化部５０Ｔに電圧を印加する。
【０２５３】
＜参考例１の変形例１＞
図１５Ａは、参考例１の変形例１について説明する。
【０２５４】
本変形例の場合、第一電極４１Ｔは、レンズ２Ｔの外周面の第一部分２１Ｔにおいて、外部に露出している。第一部分２１Ｔは、レンズ２Ｔの外周面において、幅方向の一方側半部に存在している。幅方向の一方側半部は、フレーム１に保持された状態で、一対のテンプル１４ａ、１４ｂに近い側の半部であってよい。あるいは、幅方向の一方側半部は、フレーム１に保持された状態で、ブリッジ１３ａに近い側の半部であってよい。
【０２５５】
第二電極４６Ｔは、レンズ２Ｔの外周面の第二部分２２Ｔにおいて、外部に露出している。第二部分２２Ｔは、レンズ２Ｔの外周面において、幅方向の一方側半部に存在している。
【０２５６】
第三電極５１Ｔは、レンズ２Ｔの外周面の第三部分２３Ｔにおいて、外部に露出している。第三部分２３Ｔは、レンズ２Ｔの外周面において、幅方向の他方側半部に存在している。
【０２５７】
第四電極５３Ｔは、レンズ２Ｔの外周面の第四部分２４Ｔにおいて、外部に露出している。第四部分２４Ｔは、レンズ２Ｔの外周面において、幅方向の他方側半部に存在している。なお、第一部分２１Ｔ、第二部分２２Ｔ、第三部分２３Ｔ、及び、第四部分２４Ｔは、互いに厚さ方向において対向していない。
【０２５８】
＜参考例１の変形例２＞
図１５Ｂを参照して、参考例１の変形例２について説明する。
【０２５９】
本変形例の場合、第一電極４１Ｔは、レンズ２Ｔの外周面の第一部分２１Ｔにおいて、外部に露出している。第一部分２１Ｔは、レンズ２Ｔの外周面における下側半部に存在している。
【０２６０】
第二電極４６Ｔは、レンズ２Ｔの外周面の第二部分２２Ｔにおいて、外部に露出している。第二部分２２Ｔは、レンズ２Ｔの外周面における下側半部に存在している。
【０２６１】
第三電極５１Ｔは、レンズ２Ｔの外周面の第三部分２３Ｔにおいて、外部に露出している。第三部分２３Ｔは、レンズ２Ｔの外周面における下側半部に存在している。
【０２６２】
第四電極５３Ｔは、レンズ２Ｔの外周面の第四部分２４Ｔにおいて、外部に露出している。第四部分２４Ｔは、レンズ２Ｔの外周面における下側半部に存在している。なお、第一部分２１Ｔ、第二部分２２Ｔ、第三部分２３Ｔ、及び、第四部分２４Ｔは、互いに厚さ方向において対向していない。
【０２６３】
＜参考例１の変形例３＞
図１５Ｃを参照して、参考例１の変形例３について説明する。
【０２６４】
図示は省略するが、本参考例の場合、第一電極４１Ｔと第三電極５１Ｔとが異なる層に設けられており、第一電極４１Ｔと第三電極５１Ｔとの間に絶縁層を有する。また、第二電極４６Ｔと第四電極５３Ｔとが異なる層に設けられており、第二電極４６Ｔと第四電極５３Ｔとの間にも、絶縁層が設けられている。このような構成により、図１５Ｃのような配置が可能となる。
【０２６５】
具体的には、第一電極４１Ｔは、レンズ２Ｔの外周面の第一部分２１Ｔにおいて、外部に露出している。第一部分２１Ｔは、レンズ２Ｔの外周面における上側半部に存在している。
【０２６６】
また、第二電極４６Ｔは、レンズ２Ｔの外周面の第二部分２２Ｔにおいて、外部に露出している。第二部分２２Ｔは、レンズ２Ｔの外周面における上側半部に存在している。
【０２６７】
第三電極５１Ｔは、レンズ２Ｔの外周面の第三部分２３Ｔにおいて、外部に露出している。第三部分２３Ｔは、レンズ２Ｔの外周面において、幅方向の一方側半部に存在している。
【０２６８】
第四電極５３Ｔは、レンズ２Ｔの外周面の第四部分２４Ｔにおいて、外部に露出している。第四部分２４Ｔは、レンズ２Ｔの外周面において、幅方向における一方側半部に存在している。なお、第一部分２１Ｔ、第二部分２２Ｔ、第三部分２３Ｔ、及び、第四部分２４Ｔは、互いに厚さ方向において対向していない。
【０２６９】
＜参考例１の変形例４＞
図１５Ｄを参照して、参考例１の変形例４について説明する。
【０２７０】
本変形例の場合、第一電極４１Ｔは、レンズ２Ｔの外周面の第一部分２１Ｔにおいて、外部に露出している。第一部分２１Ｔは、レンズ２Ｔの外周面において、幅方向の一方側半部に存在している。
【０２７１】
第二電極４６Ｔは、レンズ２Ｔの外周面の第二部分２２Ｔにおいて、外部に露出している。第二部分２２Ｔは、レンズ２Ｔの外周面において、幅方向の一方側半部に存在している。第二部分２２Ｔは、厚さ方向において、第一部分２１Ｔと対向していない。
【０２７２】
第三電極５１Ｔは、レンズ２Ｔの外周面の第三部分２３Ｔにおいて、外部に露出している。第三部分２３Ｔは、レンズ２Ｔの外周面において、幅方向の一方側半部に存在している。第三部分２３Ｔは、厚さ方向において、第二部分２２Ｔと対向している。
【０２７３】
第四電極５３Ｔは、レンズ２Ｔの外周面の第四部分２４Ｔにおいて、外部に露出している。第四部分２４Ｔは、レンズ２Ｔの外周面において、幅方向の一方側半部に存在している。第四部分２４Ｔは、厚さ方向において、第一部分２１Ｔ、第二部分２２Ｔ、及び、第三部分２３Ｔと対向していない。
【０２７４】
以上のように本変形例の場合、第一部分２１Ｔ及び第二部分２２Ｔのうちの一方と、第三部分２３Ｔ及び第四部分２４Ｔのうちの一方とが、厚さ方向において対向している。なお、第一部分２１Ｔ及び第二部分２２Ｔのうちの他方と、第三部分２３Ｔ及び第四部分２４Ｔのうちの他方とは、厚さ方向において対向していない。
【０２７５】
＜参考例１の変形例５〜変形例８＞
図１５Ｅを参照して、参考例１の変形例５について説明する。
【０２７６】
本変形例の場合、第一電極４１Ｔは、レンズ２Ｔの外周面の第一部分２１Ｔにおいて、外部に露出している。第一部分２１Ｔは、レンズ２Ｔの外周面における上側半部に存在している。なお、第一部分２１Ｔの位置は、レンズ２Ｔの外周面の上側半部において、幅方向の一方側半部でもよいし（図１５Ｅ参照）、幅方向の他方側半部であってもよい（図１５Ｆ参照）。
【０２７７】
第二電極４６Ｔは、レンズ２Ｔの外周面の第二部分２２Ｔにおいて、外部に露出している。第二部分２２Ｔは、レンズ２Ｔの外周面における上側半部に存在している。第二部分２２Ｔは、厚さ方向において、第一部分２１Ｔと対向していない。
【０２７８】
第三電極５１Ｔは、レンズ２Ｔの外周面の第三部分２３Ｔにおいて、外部に露出している。第三部分２３Ｔは、レンズ２Ｔの外周面における上側半部に存在している。第三部分２３Ｔは、厚さ方向に追いて、第二部分２２Ｔと対向している。
【０２７９】
第四電極５３Ｔは、レンズ２Ｔの外周面の第四部分２４Ｔにおいて、外部に露出している。第四部分２４Ｔは、レンズ２Ｔの外周面における上側半部に存在している。第四部分２４Ｔは、厚さ方向において、第一部分２１Ｔ、第二部分２２Ｔ、及び、第三部分２３Ｔと対向していない。
【０２８０】
なお、第一部分２１Ｔ、第二部分２２Ｔ、第三部分２３Ｔ、及び、第四部分２４Ｔの位置は、例えば、図１５Ｇに示す配置であってもよい。具体的には、図１５Ｇに示す構造の場合、第一部分２１Ｔ、第二部分２２Ｔ、第三部分２３Ｔ、及び、第四部分２４Ｔはそれぞれ、レンズ２Ｔの外周面における下側半部に存在している。第二部分２２Ｔは、厚さ方向において、第三部分２３Ｔと対向している。
【０２８１】
また、第一部分２１Ｔ、第二部分２２Ｔ、第三部分２３Ｔ、及び、第四部分２４Ｔの位置は、例えば、図１５Ｈに示す配置であってもよい。具体的には、図１５Ｈに示す構造の場合、第一部分２１Ｔは、レンズ２Ｔの外周面において、幅方向の一方側半部に存在している。
【０２８２】
また、第二部分２２Ｔ、第三部分２３Ｔ、及び、第四部分２４Ｔはそれぞれ、レンズ２Ｔの外周面における上側半部に存在している。第二部分２２Ｔは、厚さ方向において第三部分２３Ｔと対向している。
【０２８３】
＜付記＞
上述のような参考例１及び参考例１の各変形例に係るレンズは、透明な第一基板と、第一基板の厚さ方向において第一基板と対向して設けられた透明な第二基板と、第一基板と第二基板との間に設けられ、電気的制御により光学特性が変化する第一光学特性変化部と、第一基板と第二基板との間であって、厚さ方向において第一光学特性変化部と対向しない位置に設けられ、電気的制御により光学特性が変化する第二光学特性変化部と、を備える。
【０２８４】
また、上述の各実施形態及び変形例は、技術的に矛盾しない範囲において、適宜組み合わせて実施してよい。また、第一電極、第二電極、第三電極、及び第四電極の構成は、技術的に矛盾しない範囲において、適宜入れ替えられてもよい。
【０２８５】
２０１８年９月２８日出願の特願２０１８−１８５３２１の日本出願に含まれる明細書、図面、および要約書の開示内容は、すべて本願に援用される。
【産業上の利用可能性】
【０２８６】
本発明は、電子メガネに限らず、種々のアイウェアに好適に利用できる。
【符号の説明】
【０２８７】
Ｇ  電子メガネ
１  フレーム
１１  フロント
１２  リム
１３ａ  ブリッジ
１３ｂ  鼻パッド
１４ａ、１４ｂ  テンプル
１５  筐体
１６  検出部
１７  制御部
１８  電源
１９  配線
２、２Ａ、２Ｂ、２Ｃ、２Ｄ  レンズ
２Ｚ  レンズブランク
２１  第一部分
２２  第二部分
２３  第三部分
２４  第四部分
２５  ブランク部
３、３Ｄ  第一領域
３１、３１Ａ  第一基板
３１ｃ、３１ｄ  第一回折構造
３１１  突部
３１２  突条
３２、３２Ａ  中間基板
３３、３３Ａ  第二基板
３３ｃ、３３ｄ  第二回折構造
３３１  突部
３３２  突条
４０  第一特性変化部
４１、４１Ｂ、４１Ｃ  第一電極
４１１  透明導電膜
４１ａ  スリット
４１ｄ  電圧印加部
４１ｅ  接続部
４１ｆ  厚肉部
４２、４７  絶縁膜
４３  第一液晶モジュール
４４、４６  配向膜
４５  第一液晶層
４８、４８Ｂ、４８Ｃ  第二電極
４８１  透明導電膜
４８ａ  スリット
４８ｄ  電圧印加部
４８ｅ  接続部
４８ｆ  厚肉部
５０、５０Ｄ  第二特性変化部
５１、５１Ｂ、５１Ｃ  第三電極
５１１  透明導電膜
５１ａ  スリット
５１ｄ  電圧印加部
５１ｅ  接続部
５１ｆ  厚肉部
５２  第二液晶モジュール
５３、５７  絶縁膜
５４、５６  配向膜
５５  第二液晶層
５８、５８Ｂ、５８Ｃ  第四電極
５８１  透明導電膜
５８ａ  スリット
５８ｄ  電圧印加部
５８ｅ  接続部
５８ｆ  厚肉部
６、６Ｄ  第二領域
６０  第一特性固定部
７０  第二特性固定部
６１、６２  接着層
２Ｔ  レンズ
２１Ｔ  第一部分
２２Ｔ  第二部分
２３Ｔ  第三部分
２４Ｔ  第四部分
３Ｔ  第一領域
３１Ｔ  第一基板
３１ｔ  第一回折構造
３３ｔ  第二回折構造
４０Ｔ  第一特性変化部
４１Ｔ  第一電極
４１Ｔ１  透明導電膜
４１１Ｔ  スリット
４１２Ｔ  スリット
４１ｔ１  接続部
４１ｔ２  電圧印加部
４３Ｔ  絶縁膜
４４Ｔ  第一液晶モジュール
４４Ｔ１  配向膜
４４Ｔ２  第一液晶層
４４Ｔ３  配向膜
４５Ｔ  絶縁膜
４６Ｔ  第二電極
４６Ｔ１  透明導電膜
４６１Ｔ  スリット
４６２Ｔ  スリット
４６ｔ１  接続部
４６ｔ２  電圧印加部
４７Ｔ  第二基板
５Ｔ  第二領域
５０Ｔ  第二特性変化部
５１Ｔ  第三電極
５１ｔ１  接続部
５１ｔ２  電圧印加部
５２Ｔ  第二液晶モジュール
５２Ｔ１  配向膜
５２Ｔ２  第二液晶層
５２Ｔ３  配向膜
５３Ｔ  第四電極
５３ｔ１  接続部
５３ｔ２  電圧印加部
６Ｔ  第三領域
６１Ｔ  特性固定部
６２Ｔ  接着層
【図１】
2020067329.tif 000003
【図２】
2020067329.tif 000004
【図３】
2020067329.tif 000005
【図４】
2020067329.tif 000006
【図５Ａ】
2020067329.tif 000007
【図５Ｂ】
2020067329.tif 000008
【図５Ｃ】
2020067329.tif 000009
【図５Ｄ】
2020067329.tif 000010
【図５Ｅ】
2020067329.tif 000011
【図６Ａ】
2020067329.tif 000012
【図６Ｂ】
2020067329.tif 000013
【図６Ｃ】
2020067329.tif 000014
【図６Ｄ】
2020067329.tif 000015
【図７】
2020067329.tif 000016
【図８Ａ】
2020067329.tif 000017
【図８Ｂ】
2020067329.tif 000018
【図８Ｃ】
2020067329.tif 000019
【図８Ｄ】
2020067329.tif 000020
【図８Ｅ】
2020067329.tif 000021
【図９Ａ】
2020067329.tif 000022
【図９Ｂ】
2020067329.tif 000023
【図９Ｃ】
2020067329.tif 000024
【図９Ｄ】
2020067329.tif 000025
【図９Ｅ】
2020067329.tif 000026
【図１０Ａ】
2020067329.tif 000027
【図１０Ｂ】
2020067329.tif 000028
【図１０Ｃ】
2020067329.tif 000029
【図１０Ｄ】
2020067329.tif 000030
【図１１】
2020067329.tif 000031
【図１２】
2020067329.tif 000032
【図１３】
2020067329.tif 000033
【図１４Ａ】
2020067329.tif 000034
【図１４Ｂ】
2020067329.tif 000035
【図１５Ａ】
2020067329.tif 000036
【図１５Ｂ】
2020067329.tif 000037
【図１５Ｃ】
2020067329.tif 000038
【図１５Ｄ】
2020067329.tif 000039
【図１５Ｅ】
2020067329.tif 000040
【図１５Ｆ】
2020067329.tif 000041
【図１５Ｇ】
2020067329.tif 000042
【図１５Ｈ】
2020067329.tif 000043
【国際調査報告】
2020067329.tif 000044
2020067329.tif 000045